(57)【要約】【課題】軸方向に分離あるいは組付け可能な一対の保持器を分離状態で、一方のみを軸受の軸方向に固定可能にし、また、無駄な空間を無くし、転動体の個数を容易に増加可能とする。【解決手段】転がり軸受１の内外輪２、３間を転動する転動体６を保持する一対の保持器２０を軸方向に対向して設ける。保持器には、転がり軸受軸心を中心とした環状基部２１と、環状基部から軸方向に突出する突出部２２と、突出部の周方向両側に転動体を保持可能にするポケット部の一方を形成する側部２３、２４を設ける。一対の保持器を互いに対向配置し、突出部の両側に転動体を保持する対向ポケット２６を形成する。かつ、突出部に軸方向に開口部２５を有する転動体を保持する突出部ポケット２７を設ける。【選択図】        図１
2014098433.tif 000002
【特許請求の範囲】
【請求項１】
転がり軸受の内外輪間を転動する転動体を保持する一対の保持器であって、前記保持器は軸方向に対向して設けられ、前記転がり軸受軸心を中心とした環状基部と、前記環状基部から軸方向に突出する突出部と、前記突出部の周方向両側に前記転動体を保持可能にするポケット部の一方を形成する側部と、を有しており、前記一対の保持器を互いに対向配置し、前記突出部の両側に前記転動体を保持する対向ポケットが形成可能にされ、さらに、前記突出部に軸方向に開口部を有し前記転動体を保持可能にされた突出部ポケットが形成されていることを特徴とする転がり軸受用保持器。
【請求項２】
前記突出部が複数設けられていることを特徴とする請求校１記載の転がり軸受用保持器。
【請求項３】
前記突出部ポケットが前記突出部内に複数設けられていることを特徴とする請求校１又は２記載の転がり軸受用保持器。
【発明の詳細な説明】
【技術分野】
【０００１】
本発明は、転がり軸受の転動体を保持する転がり軸受用保持器に関する。
【背景技術】
【０００２】
保持器付き転がり軸受にあっては、軸を回転支持する軸受の内外輪間の軌道面間を転動するボールあるいはころ等の転動体を保持する保持器が用いられている。かかる保持器には環状体に放射状に開けられた穴を保持穴としたものや、軸方向に開口を有するポケットを有する冠型保持器等種々の保持器がある。この保持器の一つに、軸方向半分の同形状の環状保持器を一対として、軸方向に互いに対向組み合わせて一つの保持器とするものがある。例えば、特許文献１の段落０００４，図２においては、環状基部から軸方向に開口するボールポケット部（保持部）を突出形成する。このボールポケット部をボールポケット部と同じ周方向幅の間隔で設け、この保持器一対を互いに対向配置して、ボールポケット部を互いにずらした状態で嵌合させ、一組の保持器としている。
【０００３】
しかし、この場合は、ボールポケット部を形成する外側側面を有効に使用できない。そこで、同文献の段落０００１６，図３においては、環状基部から軸方向に突出する柱部（突起）を形成する。この柱部の周方向両側部にボールを保持可能にするボールポケット部の一方を形成する。柱部と柱部との間隔はボール２個分プラス柱部周方向幅にされる。この保持器一対を柱部が互いに相手側の柱部と柱部の中央になるようにして対向させ、かつ互いの柱部の両側にボールがくるように配置する。これにより、相手側の柱部側部とでボールを挟持し、ボールポケット部を形成し、一組の保持器を形成する。
【０００４】
しかし、この柱部は互いに軸方向に規制されていないので、形成されるボールポケットとボールとの隙間分、軸方向に移動して、振動や磨耗の原因となる。そこで、特許文献２においては、柱部を相手側の円環状の基部に嵌合固定（スナップフィット）するようにして、保持器の互いの軸方向の移動、周方向のずれを小さくしている。
【先行技術文献】
【特許文献】
【０００５】
【特許文献１】特開平９−２２９０７３号
【特許文献２】特開２００９−１１５１２８号
【発明の概要】
【発明が解決しようとする課題】
【０００６】
しかし、特許文献１の図３、特許文献２のものでは、軸方向の保持はボールを介在させているので、一方の保持器だけでは、軸受に固定できない。また、一方の保持器を外すと他方の保持器も軸方向に外れてしまう。このため、組付け、分解に手間がかかる。特許文献１の図２のものでは、一方の保持器のみを軸受に固定できるが、無駄な空間が多い。あるいは、ボール数を増加できない等の問題があった。
【０００７】
本発明の課題は、かかる問題点に鑑みて、保持器の分離状態でも、一方の保持器を軸受の軸方向に固定可能にする。さらに、無駄な空間がない、あるいは転動体の個数を増加可能な、軸方向に分離あるいは組付け可能な、一対の保持器からなる転がり軸受用保持器を提供することである。
【課題を解決するための手段】
【０００８】
本発明においては、転がり軸受の内外輪間を転動する転動体を保持する一対の保持器であって、前記保持器は軸方向に対向して設けられ、前記転がり軸受軸心を中心とした環状基部と、前記環状基部から軸方向に突出する突出部と、前記突出部の周方向両側に前記転動体を保持可能にするポケット部の一方を形成する側部と、を有しており、前記一対の保持器を互いに対向配置し、前記突出部の両側に前記転動体を保持する対向ポケットが形成可能にされ、さらに、前記突出部に軸方向に開口部を有し前記転動体を保持可能にされた突出部ポケットが形成されている転がり軸受用保持器を提供することにより前述した課題を解決した。
【０００９】
即ち、従来の特許文献１の図３又は、特許文献２の柱部に相当する突出部に、ポケットを形成したものである。あるいは、特許文献１の図２のポケットの両側側面間に、左右の一対の柱部間で挟持可能にしたものである。突出部ポケットにより転動体を介して軸方向へ固定され、かつ、突出部の両側部で対向ポケットを形成している。
【００１０】
また、請求項２に記載の発明においては、前記突出部が複数設けられている軸受用保持器とした。突出部は理論的には１箇所あれば、一方のポケット１箇所、ポケットの両側それぞれ１個計２個が共通対向して設けられるので、転動体は実質４個が最低個数となる。しかし、この場合、それぞれの保持器はポケットが１箇所なので安定しない。そこで、ポケットを複数個以上することにより、安定させることができる。
【００１１】
また、請求項３記載の発明においては、前記突出部ポケットが前記突出部内に複数設けられている転がり軸受用保持器とした。突出部のポケットは１箇所あればよいが、複数形成することも可能である。
【発明の効果】
【００１２】
本発明においては、環状基部から軸方向に突出する突出部の周方向両側に転動体を保持可能にする対向ポケットを形成し、かつ、突出部に突出部ポケットを形成したので、一方の保持器のみでの軸方向への固定が可能となり、また、軸方向への組付け、分離が容易なものとなった。
【００１３】
また、請求項２に記載の発明においては、ポケットを複数個以上することにより、保持器の軸受への取り付け姿勢を安定させることができ、取扱が容易になる。
【００１４】
また、請求項３記載の発明においては、突出部ポケットを複数形成したので、強度を確保しかつ転動体の個数を増すことも容易になる。
【図面の簡単な説明】
【００１５】
【図１】本発明の実施の形態を示す一対の保持器を軸受に左右から組付ける様子を示す断面図である。
【図２】本発明の実施の形態を示す突出部が４箇所設けられた保持器の（ａ）は正面図、（ｂ）は右側面図である。
【図３】本発明の実施の形態を示す軸受に組付けられた状態を示すボール及び保持器の周方向の部分展開図である。
【図４】本発明の他の実施の形態を示す軸受に組付けられた状態を示すボール及び保持器の周方向の部分展開図である。
【発明を実施するための形態】
【００１６】
本発明の実施の形態について図面を参照して説明する。図１に示すように、本発明保持器２０は、転がり軸受１の内輪２の軌道面４と、外輪３の軌道面５の間を転動するボール（転動体）６の相対位置を周方向に保持するための保持器である。保持器２０は同一のものを周方向の位相をずらして左右対向させて転がり軸受１の両側面側から軸方向に組付け、互いにボール６を挟持して、ボールを位置決め保持する。
【００１７】
図２に示すように、保持器２０は、環状基部２１と、環状基部から軸方向に突出する突出部２２を備える。突出部２２の周方向両側にボール６を保持可能にする対向ポケット２６の一方を形成する側部２３，２４が形成されている。隣り合う突出部２２の間隔Ｗはボール２個分プラス突出部２２の周方向幅Ｓにされる。さらに、突出部２２には、軸方向に開口部２５を有する突出部ポケット２７が形成されボール６を保持可能にされている。突出部は４箇所であるので、ボール数は１６個となる。
【００１８】
かかる保持器２０を軸受１に組付けるには、図１、３、図２の点線示すように、保持器２０一対を突出部２２が互いに相手側の突出部と突出部の中央になるようにして対向させ、かつ互いの突出部の両側２３，２４にボール６がくるように配置する。これにより、相手側の突出部側部２３，２３（２４，２４）とでボール６を挟持し、対向ポケット２６を形成し、一組の保持器を形成する。
【００１９】
突出部ポケット２７では、従来の冠型保持器と同様にボール６を保持する。ボールは軌道面４、５間で軸方向に規制されているので、保持器２０は軸受１より分離しにくくなっている。一方、対向ポケット２６は容易に軸方向に分離できる。これにより、保持器２０を分離しやすい。また、組付けも容易である。
【００２０】
次に本発明の他の実施の形態について図面を参照して説明する。本発明の他の実施の形態は、突出部ポケット２７の数を増やし、２個としたものである。前述した実施の形態と同様な部分は同符号を付し説明の一部又は全部を省略する。図４に示すように、保持器３０は、環状基部２１と、環状基部から軸方向に突出する突出部３２を備える。突出部３２の周方向両側にボール６を保持可能にする対向ポケット２６の一方を形成する側部２３，２４が形成されている。隣り合う突出部３２の間隔Ｗ′はボール２個分プラス突出部３２の周方向幅Ｓ′にされる。さらに、突出部３２には、軸方向に開口部２５を有する突出部ポケット２７が２個形成されボール６を保持可能にされている。なお、突出部を２箇所とすると、ボール数は１２個となる。３箇所設ければ、ボール数は１８個となる。
【００２１】
このように、環状基部に設けられた突出部に複数の突出部ポケットを設けることにより、突出部を増すことなくボール数を増加でき、ボール数が変化しても設計も容易である。なお、環状基部２１の内外径と内外輪の外径、内径との隙間を例えば１．５ｍｍ以下の小さな値にすることにより、特許文献１と同様ラビリンス隙間をもたせ、シール性を得られる等従来の性能を保持したまま、組立又は分解が容易で、取扱易いものとなった。また、突出部は特許文献２の柱部のように、相手側の環状基部に嵌合固定可能にしてもよい。材料は合成樹脂等を用いる。また、転動体はボールに限らず、ころ、ニードル等に適用できる。さらに、従来の柱部を適宜追加してもよいことはいうまでもない。
【符号の説明】
【００２２】
１    転がり軸受
２    内輪
３    外輪
６    転動体
２０、３０  転がり軸受用保持器
２１  環状基部
２２、３２  突出部
２３、２４  突出部側部
２５  開口部
２６  対向ポケット
２７  突出部ポケット
【図１】
2014098433.tif 000003
【図２】
2014098433.tif 000004
【図３】
2014098433.tif 000005
【図４】
2014098433.tif 000006